【手続補正書】
【提出日】平成16年4月12日(2004.4.12)
【手続補正１】
【補正対象書類名】明細書
【補正対象項目名】特許請求の範囲
【補正方法】変更
【補正の内容】
【特許請求の範囲】
【請求項１】
インクジェット印刷用のインクジェットインクセットであって、高耐光性マゼンタ染料から成るライトマゼンタインクを包含するインクジェットインクセット。
【請求項２】
前記高耐光性マゼンタ染料が、水性媒質において１０％未満の溶解度を有する請求項１に記載のインクジェットインクセット。
【請求項３】
高色度マゼンタ染料から成るダークマゼンタインクをさらに包含する請求項１に記載のインクジェットインクセット。
【請求項４】
前記ライトマゼンタインクの前記高耐光性マゼンタ染料が、前記ダークマゼンタインクの前記高色度マゼンタ染料とは異なる染料である請求項３に記載のインクジェットインクセット。
【請求項５】
前記高耐光性マゼンタ染料が、前記高色度マゼンタ染料の色度のほとんど８０％の色度を有する請求項４に記載のインクジェットインクセット。
【請求項６】
シアン染料から成るシアンインクとイエロー染料から成るイエローインクとをさらに包含する請求項１に記載のインクジェットインクセット。
【請求項７】
前記マゼンタ、シアン及びイエローインクの各々が、約０．１〜約５ｗｔ％の染料を含有する請求項６に記載のインクジェットインクセット。
【請求項８】
前記マゼンタ、シアン及びイエローインクの各々が、約２．５〜約５ｗｔ％の染料を含有する請求項６に記載のインクジェットインクセット。
【請求項９】
前記高耐光性マゼンタ染料が、アントラキノン類、アゾ染料類及びペリレン類から成る群から選択される請求項１に記載のインクジェットインクセット。
【請求項１０】
前記アントラキノン類が、以下の構造式
【化１】
2002080766.tif 000001
【化２】
2002080766.tif 000002
【化３】
2002080766.tif 000003
【化４】
2002080766.tif 000004
〔式中、X、Ｙ、Ｚ、Ｚ1及びＺ2は、−ＯＨ、−ＮＨ2、−ＮＨフェニル、−ＮＨＲ1、−Ｏフェニル、−ＯＲ1から成る群から選択され、Ｒ1は、１〜２０個の炭素を有するものである〕で表わされる化合物を含む群より選択される請求項９のインクジェットインクセット。
【請求項１１】
前記アゾ染料類が、以下の構造
【化５】
2002080766.tif 000005
〔式中、Ｚ1、Ｚ2、及びＺ3は、−ＯＲ1、−ＳＯ2Ｒ1、−ＮＲ1Ｒ2、−ＳＯ3-、及びハロゲンから成る群から選択され、且つＲ1及びＲ2は、水素、アルキル、アリール、置換アルキル、及び置換アリールから成る群から選択され、且つＹは、鉄、ニッケル、銅、コバルト、亜鉛、及びクロムから成る群から選択される多価遷移金属である〕を有する請求項９に記載のインクジェットインクセット。
【請求項１２】
前記アゾ染料類が、以下の構造
【化６】
2002080766.tif 000006
を有するＲｅａｃｔｉｖｅ Ｒｅｄ２３である請求項１１に記載のインクジェットインクセット。
【請求項１３】
前記アゾ染料類が、次の式の構造
【化７】
2002080766.tif 000007
〔式中、Ｘ、Ｙ、Ｒ3、Ｒ4、Ｒ5及びＲ6は、−ＯＲ1、−ＳＯ2Ｒ1−ＮＲ1Ｒ2、−ＳＯ3-、及びハロゲンから成る群から選択され、且つＲ1及びＲ2は、水素、アルキル、アリール、置換アルキル、及び置換アリールから成る群から選択される〕を有する請求項９に記載のインクジェットインクセット。
【請求項１４】
前記アゾ染料類が、以下の構造
【化８】
2002080766.tif 000008
【化９】
2002080766.tif 000009
〔式中、Ｙは、鉄、ニッケル、銅、コバルト、亜鉛、及びクロムから成る群から選択される多価遷移金属であり、且つＺ1、Ｚ2、及びＺ3は、−ＯＲ1、−ＳＯ2Ｒ1、−ＮＲ1Ｒ2、−ＳＯ3-、及びハロゲンから成る群から選択され、且つＲ1及びＲ2は、水素、アルキル、アリール、置換アルキル、及び置換アリールから成る群から選択される〕を有する化合物から成る群から選択された２−(オルト−ヒドロキシ−フェニルアゾ)−１−ピラゾロン類である請求項９に記載のインクジェットインクセット。
【請求項１５】
前記ペリレン類が、次の式の構造
【化１０】
2002080766.tif 000010
〔式中、Ｒ1及びＲ2は、水素、アルキル、アリール、置換アリール及び置換アルキルから成る群から選択され、且つ、Ｘ1、Ｘ2、Ｘ3、Ｘ4、Ｘ5及びＸ6は、水素及びスルホン酸塩から成る群から選択される〕を有する請求項９に記載のインクジェットインクセット。
【請求項１６】
前記高耐光性マゼンタ染料が、４−ヒドロキシ−３−(２'−ピリジルアゾ)−１−(スルホ置換)ナフタレンマゼンタ染料リガンドである請求項１に記載のインクジェットインクセット。
【請求項１７】
前記染料リガンドが、４−ヒドロキシ−３−(２'−ピリジルアゾ)−１−ナフタレンスルホン酸、４−ヒドロキシ−３−(２'−ピリジルアゾ)−１−ナフタレンスルホンアミド、Ｎ−置換−４−ヒドロキシ−３−(２'−ピリジルアゾ)−１−ナフタレンスルホンアミド、Ｎ，Ｎ'−ビス(置換)−４−ヒドロキシ−３−(２'−ピリジルアゾ)−１−ナフタレンスルホンアミド、及びそれらの混合物から成る群から選択される請求項１６に記載のインクジェットインクセット。
【請求項１８】
前記高耐光性マゼンタ染料が、鉄、ニッケル、銅、コバルト、亜鉛、及びクロムから成る群から選択される多価遷移金属に配位された染料リガンドである請求項１に記載のインクジェットインクセット。
【請求項１９】
前記高耐光性マゼンタ染料が、次の式の構造
【化１１】
2002080766.tif 000011
〔式中、Ｍは、鉄、ニッケル、銅、コバルト、亜鉛、及びクロムから成る群から選択される多価遷移金属を表し、各Lは、独立に、中性又は陰イオンリガンドを表し、各Ｘ、Ｙ及びＺは、独立に、１−６個の炭素原子をもつ置換又は未置換アルキル基、６−１０個の炭素原子をもつ置換又は未置換アリール基、５−１０個の炭素原子をもつ置換又は未置換ヘトアリール(ｈｅｔａｒｙｌ)基、ハロゲン、シアノ基、ニトロ基、１−６個の炭素原子をもつ置換又は未置換アルコキシカルボニル基、１−６個の炭素原子をもつ置換又は未置換アルコキシ基、ヒドロキシキ、２−２０のアルキレンオキシド残基をもつポリオキシアルキレン基、カルボキシ基又はその塩、スルホ基又はその塩、ホスホ基又はその塩、カルバモイル基、１−２０個の炭素原子をもつ置換又は未置換アルキル−、アラルキル−、アリール−、ジアリール−又はジアルキル−カルバモイル基、１−２０個の炭素原子をもつ置換又は未置換アルキル−、アラルキル−、アリール−、ジアリール−又はジアルキル−アミノ基又は第四アンモニウム又はホスホニウム基を表し、Ｑは、５−又は６−員ヘテロ環式環を完成するのに必要な原子を表し、ｎは、２又は３を表し、ｍは、１−３の整数を表し、各ｐ及びrは、独立に、０−３の整数を表し、ｑは、０、１又は２を表し、２つ以上のLは、一緒に連結して、上に示したものと同じか又は異なった構造の別の多歯状(ｐｏｌｙｄｅｎｔａｔｅ)分子を任意に含んでいてよい二(ｂｉ−)又は三(ｔｒｉ)歯状リガンドを形成し、１つ以上のLは、Ｘ及び／又はＺと結合され、１つ以上のＸ、Ｙ及びＺは、それらが付着されている炭素と一緒に、独立に、環窒素を表してよく、そして、Ｘ、Ｙ又はＺの任意の２つは、一緒に連結して５−７員飽和又は不飽和環を形成する〕を有する８−ヘテロ環式アゾ−５−ヒドロキシキノリンである請求項１に記載のインクジェットインクセット。
【請求項２０】
インクジェットプリント用のインクジェットインクセットであって、高耐光性シアン染料から成るライトシアンインクを含有するインクジェットインクセット。
【請求項２１】
前記高耐光性シアン染料が、水性媒質において１０％未満の溶解度を有する請求項２０に記載のインクジェットインクセット。
【請求項２２】
高色度シアン染料から成るダークシアンインクをさらに包含する請求項２０に記載のインクジェットインクセット。
【請求項２３】
前記ライトシアンインクの前記高耐光性シアン染料が、前記ダークシアンインクの前記高色度シアン染料とは異なる染料である請求項２２に記載のインクジェットインクセット。
【請求項２４】
前記高耐光性シアン染料が、前記高色度シアン染料の色度のほとんど８０％の色度を有する請求項２３に記載のインクジェットインクセット。
【請求項２５】
マゼンタ染料から成るマゼンタインクとイエロー染料から成るイエローインクとをさらに包含する請求項２０に記載のインクジェットインクセット。
【請求項２６】
前記マゼンタ、シアン及びイエローインクの各々が、約０．１〜約５ｗｔ％の染料を含有する請求項２５に記載のインクジェットインクセット。
【請求項２７】
前記マゼンタ、シアン及びイエローインクの各々が、約２．５〜約５ｗｔ％の染料を含有する請求項２５に記載のインクジェットインクセット。
【請求項２８】
前記高耐光性シアン染料が、Ｄｉｒｅｃｔ Ｂｌｕｅ １９９、Ｄｉｒｅｃｔ Ｂｌｕｅ ８６、Ａｃｉｄ Ｂｌｕｅ ４５、Ａｃｉｄ Ｂｌｕｅ１３８、Ａｃｉｄ Ｂｌｕｅ ２５１、銅フタロシアニン類、ニッケルフタロシアニン類、アントラキノン類、ジアゾチオフェン類及びそれらの化合物から成る群から選択される請求項２０に記載のインクジェットインクセット。
【請求項２９】
前記アントラキノン類が、次の式
【化１２】
2002080766.tif 000012
【化１３】
2002080766.tif 000013
【化１４】
2002080766.tif 000014
【化１５】
2002080766.tif 000015
〔式中、Ｘ、Ｙ、Ｚ、Ｚ1及びＺ2は、−ＯＨ、−ＮＨ2、−ＮＨフェニル、−ＮＨＲ1、−Ｏフェニル、−ＯＲ1から成る群から選択され、Ｒ1は、１〜２０個の炭素を有する〕で表わされる化合物から成る群から選択される請求項２８に記載のインクジェットインクセット。
【請求項３０】
前記高耐光性シアン染料が、鉄、ニッケル、銅、コバルト、亜鉛、及びクロムから成る群から選択される多価遷移金属に配位された染料リガンドである請求項２０に記載のインクジェットインクセット。
【請求項３１】
前記ジアゾチオフェン類が、次の式の構造
【化１６】
2002080766.tif 000016
〔式中、Ｒ1、Ｒ2、及びＲ3は、−ＯＲ、−ＳＯ2Ｒ1、−ＮＲ4Ｒ5、−ＳＯ3-、及びハロゲンから成る群から選択され、且つ、Ｒ4及びＲ5は、水素、アルキル、アリール、置換アルキル及び置換アリールから成る群から選択される〕を有する請求項２８に記載のインクジェットインクセット。
【請求項３２】
インクジェットプリント用のインクジェットインクセットであって、高耐光性イエロー染料から成るライトイエローインクを包含するインクジェットインクセット。
【請求項３３】
前記高耐光性イエロー染料が、水性媒質において１０％未満の溶解度を有する請求項３２に記載のインクジェットインクセット。
【請求項３４】
高色度イエロー染料から成るダークイエローインクをさらに包含する請求項３２に記載のインクジェットインクセット。
【請求項３５】
前記ライトイエローインクの前記高耐光性イエロー染料が、前記ダークイエローインクの前記高色度イエロー染料とは異なる染料である請求項３４に記載のインクジェットインクセット。
【請求項３６】
前記高耐光性イエロー染料が、前記高色度イエロー染料の色度のほとんど８０％の色度を有する請求項３５に記載のインクジェットインクセット。
【請求項３７】
シアン染料から成るシアンインクとマゼンタ染料から成るマゼンタインクとを包含する請求項３２に記載のインクジェットインクセット。
【請求項３８】
前記マゼンタ、シアン及びイエローインクの各々が、約０．１〜約５ｗｔ％の染料を含有する請求項３７に記載のインクジェットインクセット。
【請求項３９】
前記マゼンタ、シアン及びイエローインクの各々が、約２．５〜約５ｗｔ％の染料を含有する請求項３７に記載のインクジェットインクセット。
【請求項４０】
前記高耐光性イエロー染料が、Ｙｅｌｌｏｗ １０４、Ｄｉｒｅｃｔ Ｙｅｌｌｏｗ ４、Ｄｉｒｅｃｔ Ｙｅｌｌｏｗ ８６、Ｄｉｒｅｃｔ Ｙｅｌｌｏｗ １０９、Ｄｉｒｅｃｔ Ｙｅｌｌｏｗ １３２、PJＹ H−３ＲＮA、Ｄｉｒｅｃｔ Ｙｅｌｌｏｗ ５０、アゾ染料、及びそれらの化合物から成る群から選択される請求項３２に記載のインクジェットインクセット。
【請求項４１】
前記高耐光性イエロー染料が、鉄、ニッケル、銅、コバルト、亜鉛、及びクロムから成る群から選択される多価遷移金属に配位された染料リガンドである請求項３２に記載のインクジェットインクセット。
【請求項４２】
インクジェットプリント用のインクジェットインクセットであって、高耐光性ブラック染料から成るライトブラックインクを包含するインクジェットインクセット。
【請求項４３】
前記高耐光性ブラック染料が、水性媒質において１０％未満の溶解度を有する請求項４２に記載のインクジェットインクセット。
【請求項４４】
高光学濃度ブラック染料から成るダークブラックインクをさらに包含する請求項４２に記載のインクジェットインクセット。
【請求項４５】
前記ライトブラックインクの前記高耐光性ブラック染料が、前記ダークブラックインクの前記高光学濃度ブラック染料とは異なる染料である請求項４４に記載のインクジェットインクセット。
【請求項４６】
前記高耐光性ブラック染料が、前記高光学濃度ブラック染料のほとんど８０％の光学濃度を有する請求項４５に記載のインクジェットインクセット。
【請求項４７】
マゼンタ染料から成るマゼンタインクとシアン染料から成るシアンインクとイエロー染料から成るイエローインクとをさらに包含する請求項４２に記載のインクジェットインクセット。
【請求項４８】
前記ブラック、マゼンタ、シアン及びイエローインクの各々が、約０．１〜約５ｗｔ％の染料を含有する請求項４７に記載のインクジェットインクセット。
【請求項４９】
前記ブラック、マゼンタ、シアン及びイエローインクの各々が、約２．５〜約５ｗｔ％の染料を含有する請求項４７に記載のインクジェットインクセット。
【請求項５０】
前記高耐光性ブラック染料が、鉄、ニッケル、銅、コバルト、亜鉛、及びクロムから成る群から選択される多価遷移金属に配位された染料リガンドである請求項４２に記載のインクジェットインクセット。
【請求項５１】
前記高耐光性ブラック染料が、次の構造
【化１７】
2002080766.tif 000017
〔式中、Ｘは、−ＣＨ＝ＣＨ2及び−ＣＨ2−ＣＨ2−ＯＨから成る群から選択される〕を有する請求項４２に記載のインクジェットインクセット。
【請求項５２】
高耐光性マゼンタ染料を含むライトマゼンタインクからなるインクをインクジェットから射出するステップを包含するインクジェット印刷する方法。
【請求項５３】
請求項２から１９の何れか１つに記載の特徴を包含する、請求項５２に記載の方法。
【請求項５４】
高耐光性シアン染料を含むライトシアンインクからなるインクをインクジェットから射出するステップを包含するインクジェット印刷する方法。
【請求項５５】
請求項２１から３１の何れか１つに記載の特徴を包含する、請求項５４に記載の方法。
【請求項５６】
高耐光性イエロー染料を含むライトイエローインクからなるインクをインクジェットから射出するステップを包含するインクジェット印刷する方法。
【請求項５７】
請求項３３から４１の何れか１つに記載の特徴を包含する、請求項５６に記載の方法。
【請求項５８】
高耐光性ブラック染料を含むライトブラックインクからなるインクをインクジェットから射出するステップを包含するインクジェット印刷する方法。
【請求項５９】
請求項４３から５１の何れか１つに記載の特徴を包含する、請求項５８に記載の方法。